(57)【要約】【課題】本考案は犬を連れて散歩する時、犬が排泄する糞を手早く処理することが出来るようにした携帯用犬の集糞具に関するものであって、袋の取り付けや交換が簡単にでき、かつ大量の糞の重みにも耐えうる構造とし、スーパー等にて利用されているポリエチレン等の袋を再利用し、袋の大きさの相違にも対応できるようにする。【解決手段】把握部１を備えており、把握部１に接続された、アーム部２と略円形の枠体４にて形成されている。袋体９を装着する際には、袋体９の持ち手の部分を枠体４の上又は下から挿入して、左右に開口させて、枠体４の円縁に被せ、持ち手８の両先を、突出部に掛止する構造とする。  【選択図】図１
0003103859.tif 000002
【実用新案登録請求の範囲】
【請求項１】
把握部１と、前記把握部１に接続されたアーム部２と略円形の枠体４にて形成されており、袋体９を袋状に取り付ける際、アーム部２へ突出部３を数個突設することにより、袋体９の持ち手８を前記突出部３に掛止でき、その取り付けた袋体９にて犬の糞を受け止めることができることを特徴とする犬の集糞具。
【請求項２】
把握部１と、前記把握部１に接続されたアーム部２と略円形の枠体４にて形成されており、請求項１記載の突出部３を前記枠体４の両端に垂直に設けた取付アーム５に取付けたことを特徴とする請求項１記載の犬の集糞具。
【請求項３】
把握部１と前記把握部１に接続されたアーム部２と略円形の枠体４にて形成されており、アーム部２にストッパー６とスライド部７を具備し、前記スライド部７上に請求項１又は２記載の突出部３を突設する構造とし、袋体９の大小に応じて袋体の持ち手８を掛止する箇所の位置調節が可能であることを特徴とする請求項１又は２記載の犬の集糞具。
【考案の詳細な説明】
【技術分野】
【０００１】
本考案は犬を連れて散歩する時、犬が排泄する糞を手早く処理することが出来るようにした携帯用犬の集糞具に関するものである。
【背景技術】
【０００２】
犬の散歩時の排便の始末においては、ビニール袋等を携行し、排出した糞を拾って袋に収容したり、園芸用の小型スコップですくい取り、ビニール等の袋に入れていた。このような方法では、糞が軟らかい場合には回収が困難であるし回収しても地面に汚れが残る。
昨今では、手を汚さず処理できるものとして、紙製の糞取り具や、柄の付いたものでビニール袋等を取り付け排泄直後の犬の糞をその袋で受け止めるようにした器具がある。
【０００３】
しかしながら、袋を固定する方法が挟持させる方法であったり、袋の開口部全体を、針金等にてできた輪に取り付けた吊し紐にホックで留める構造になっていたりと、いずれも袋の取り付け、取り外しが面倒であったり、袋の大きさによって取り付けができなかったり、大型犬のような排便の量が多い場合に、重さに耐えにくいといった不便さがあった。
【０００４】
【特許文献１】実用新案登録第３０７７６５１号
【特許文献２】実用新案登録第３０５８７１７号
【特許文献３】特開２００２−２５３０８２号
【考案の開示】
【考案が解決しようとする課題】
【０００５】
本考案は、前述のような問題点に鑑みて成されたものであり、袋の取り付けや交換が簡単にでき、かつ大量の糞の重みにも耐えうる構造とする。更には、スーパー等にて利用されているポリエチレン等の袋を再利用し、袋の大きさの相違にも対応できるようにする。
【課題を解決するための手段】
【０００６】
上記の目的を達成するために、把握部１を備えており、把握部１に接続された、アーム部２と略円形の枠体４にて形成されている。袋体９を装着する際には、袋体９のＡ−Ａａの持ち手の部分を枠体４の上又は下から挿入して、袋体９の持ち手を左右に開口させて、枠体４の円縁に被せる。そしてＡ−Ａａの持ち手８の両先を、数個ある突出部３のうちいずれかに掛止する構造とした。
【０００７】
更なる方法として、アーム部２にストッパー６とスライド部７を具備して、前記スライド部７上に突出部３を突設する構造とし、袋体９の大小に応じて袋体９の持ち手８を掛止する箇所の位置調節が可能とする構造にした。
【考案の効果】
【０００８】
本考案は上述のように構成されているから、袋の取り付けや交換がホックや挟み込む器具もいらず、単純簡単にでき、たくさんの量の集糞も可能である。  またスーパー等にて利用されているポリエチレンの袋を再利用でき、更には袋の大きさの相違にも対応でき、集糞後もそのままゴミとして出すこともできるので、飼い主が非常に楽に犬の排便の処理が可能となった。
【考案を実施するための最良の形態】
【０００９】
考案の実施の形態について図面を参照して説明する。把握部１は、木製や弾性体のもので、握りやすいものとする。把握部に接続されたアーム部２及び枠体４は一体成形になっており、先部の枠体４は、略円形の状態に加工することにより、犬の糞を受け止めやすくしている。アーム部２及び枠体４の材質は合成樹脂やステンレスや針金等を使用するのが望ましい。
【００１０】
袋体９は、図４のようにスーパー等の小売店にて利用されている袋を利用する。当該袋は、図４のＡ−Ａａのように持ち手がついているものを利用する。
【００１１】
把握部１を備えており、把握部１に接続された、アーム部２と略円形の枠体４にて形成されている。袋体９を装着する際には、袋体９のＡ−Ａａの持ち手８の部分を枠体４の上又は下から挿入して、袋体９の持ち手を左右に開口させて、枠体４の円縁に被せ、持ち手８を突出部３に掛止する構造である。
【実施例１】
【００１２】
図１のように、アーム部２へ袋体９を装着する際の持ち手８を掛止する突出部３を数個設けた構造では、袋体９を装着する際には、袋体９のＡ−Ａａの持ち手８の部分を枠体４の上又は下から挿入した後、袋体９の持ち手を左右に開口させて、枠体４の円縁に被せ、持ち手８の両先を、アーム部２に数個突設している突出部３に掛止する。
【実施例２】
【００１３】
図２のように、枠体４の略円形上の両端に図２の取付アーム５を垂直に突設し、さらに突出部３を突設する構造では、袋体９を装着する際には、袋体９のＡ−Ａａの持ち手８の部分を枠体４の上又は下から挿入した後、袋体９の持ち手を左右に開口させて、枠体４の円縁に被せ、持ち手８の両先の片方づつを左右の取付アーム５に数個突設している突出部３に掛止する。
【実施例３】
【００１４】
図３のように、アーム部２にストッパー６とスライド部７を具備し、前記スライド部７上に突出部３を突設する構造とし、袋体９の大小によって持ち手８の長さも変化することを考慮し、その長さに応じて袋体９の持ち手８を掛止する箇所がスライド機能によって位置調節が可能な構造とした。
【産業上の利用可能性】
【００１５】
犬の散歩時に携帯し、袋の取り付けや交換が簡単にでき、吊り下げやホックの構造ではなく、袋の持ち手そのものを掛止する方法であるため、大量の糞の重みにも耐えうる構造であるので、安価で取り扱いが簡単な、携帯用集糞用具として利用できる。
【図面の簡単な説明】
【００１６】
【図１】犬の集糞具の実施方法を示した図。
【図２】犬の集糞具の実施方法を示した(A)は正面図と(B)は側面から見た図。
【図３】犬の集糞具の実施方法を示した(A)は正面図と(B)は側面から見た図。
【図４】袋体の正面図。
【符号の説明】
【００１７】
１  把握部
２  アーム部
３  突出部
４  枠体
５  取付アーム
６  ストッパー
７  スライド部
８  持ち手（Ａ−Ａａ）
【図１】
0003103859.tif 000003
【図２】
0003103859.tif 000004
【図３】
0003103859.tif 000005
【図４】
0003103859.tif 000006